(57)【要約】【課題】携行性に優れ、十分に光を拡散反射させることができる携帯型反射板を提供すること。【解決手段】本発明の一態様は、携帯端末に設けられたカメラで撮影する際に被写体に向けて光を反射させる携帯型反射板であって、支持板と、支持板の一方面および他方面の少なくとも一方に設けられ、光を拡散反射させる反射部材と、を備える。支持板は、保形性を有し、使用しない状態で携帯端末の正面サイズ以下の大きさに設けられる。支持板は、平板形状から任意の湾曲形状に曲げ可能であって、曲げた形状を保持できる材料によって構成されていてもよい。【選択図】図１
2020012880.tif 000002
【特許請求の範囲】
【請求項１】
携帯端末に設けられたカメラで撮影する際に被写体に向けて光を反射させる携帯型反射板であって、
支持板と、
前記支持板の一方面および他方面の少なくとも一方に設けられ、光を拡散反射させる反射部材と、を備え、
前記支持板は、保形性を有し、使用しない状態で前記携帯端末の正面サイズ以下の大きさに設けられた、携帯型反射板。
【請求項２】
前記支持板は、平板形状から任意の湾曲形状に曲げ可能であって、曲げた形状を保持できる材料によって構成された、請求項１記載の携帯型反射板。
【請求項３】
前記支持板には、折り曲げ位置に沿った折り目が設けられた、請求項１記載の携帯型反射板。
【請求項４】
前記支持板を立てた状態で支持するスタンドをさらに備え、
前記スタンドは、バネ作用によって前記支持板に対して突出および格納可能に設けられた、請求項１記載の携帯型反射板。
【請求項５】
前記支持板には切れ目が設けられ、前記切れ目から前記支持板の一部を折り曲げ可能に設けられた、請求項１記載の携帯型反射板。
【請求項６】
前記反射部材には、半球状に設けられた複数の凸部または半球状に設けられた複数の凹部が配列された、請求項１から５のいずれか１項に記載の携帯型反射板。
【発明の詳細な説明】
【技術分野】
【０００１】
本発明は、携帯型反射板に関し、より詳しくは、携帯端末に設けられたカメラで撮影する際に利用しやすい携帯型反射板に関するものである。
【背景技術】
【０００２】
近年、料理やアクセサリなどの小物を撮影し、ＳＮＳ（Social Networking Service）などに投稿する人が増えている。閲覧者から良い評価を得るためには、投稿する写真の出来映えが大切であり、そのためにはテーマ選びや撮影方法を工夫することが重要である。
【０００３】
携帯端末に設けられたカメラで撮影する被写体としては、料理やアクセサリなどの小物を対象とすることが多い。特に、小物を撮影してＳＮＳへ写真を投稿することは日常生活の中で頻繁に行われている。この際、携帯端末に設けられたカメラのレンズは広角レンズで、本来は接写に適さない。そのため、後付けの接写レンズが発売されたり、広角と望遠のデュアルレンズの携帯端末も登場したりしており、携帯端末による様々な撮影の需要も今後増加すると考えられる。
【０００４】
フォトグラファや写真愛好家においては、撮影方法の工夫の一つとして、逆光または半逆光の自然光を利用し、反射板（レフ板）によって逆光ゆえにできる手前の影を制御することが行われている。このような撮影方法の工夫は、携帯端末に設けられたカメラで撮影を行う場合も同様である。
【０００５】
撮影で用いられる反射板として、特許文献１、２には、組み立て可能な撮影用レフ板、撮影用反射板が開示されている。また、特許文献３には、ディフューザ部がアーチ状に構成されることにより光を均質に拡散させる撮影補助具が開示されている。特許文献４には、暗い環境においてライトを使用してカメラ撮影した場合に良好な画質を適正に得ることが可能な電子機器用のカバーアクセサリが開示されている。特許文献５には、雨傘、日傘と同等の開閉を可能とするかさ形レフ板が開示されている。特許文献６には、広告媒体となっているうちわの平面部にレフ板の効果を持たせたものが開示されている。
【先行技術文献】
【特許文献】
【０００６】
【特許文献１】特開２０１１−２４２７３４号公報
【特許文献２】特開２０００−０４７２９５号公報
【特許文献３】特開２００８−２０９６１５号公報
【特許文献４】特開２０１６−２１８２５０号公報
【特許文献５】実開昭６３−１８８６４３号公報
【特許文献６】実用新案第３１０５３１８号公報
【発明の概要】
【発明が解決しようとする課題】
【０００７】
携帯端末に設けられたカメラにより撮影された画像は、出来栄えを良くするために後からアプリ等のソフトウェアで色調や露出を補正することができる。しかし、ピントや光量、光の方向性を変えることはできない。このため、撮影時に適切な光を当てておくことが重要である。携帯端末に設けられたカメラによる小物撮影においても、逆光あるいは半逆光をあてたことにより、被写体の手前にできる影を消すためにレフ板を用いれば、写真の出来栄えが良くなる。しかしながら、携帯端末に設けられたカメラで撮影するために大きなレフ板を日常的に持ち歩くことは現実的ではない。その一方、携行性に優れたレフ板は考えられていない。
【０００８】
本発明の目的は、携行性に優れ、十分に光を拡散反射させることができる携帯型反射板を提供することである。
【課題を解決するための手段】
【０００９】
本発明の一態様は、携帯端末に設けられたカメラで撮影する際に被写体に向けて光を反射させる携帯型反射板であって、支持板と、支持板の一方面および他方面の少なくとも一方に設けられ、光を拡散反射させる反射部材と、を備える。支持板は、保形性を有し、使用しない状態で携帯端末の正面サイズ以下の大きさに設けられている。
【００１０】
このような構成によれば、反射部材が設けられた支持板が携帯端末の正面サイズ以下であるため、携帯端末とともに場所をとらずに携行できる反射板を構成することができる。
【００１１】
上記携帯型反射板において、支持板は、平板形状から任意の湾曲形状に曲げ可能であって、曲げた形状を保持できる材料によって構成されていることが好ましい。これにより、支持板を任意の湾曲形状に折り曲げて、立てておくことができる。また、折り曲げによって拡散反射の集光性を調整できるようになる。
【００１２】
上記携帯型反射板において、支持板には、折り曲げ位置に沿った折り目が設けられていてもよい。これにより、支持板を折り目に沿って折り曲げやすくなり、折り曲げた状態で立てておくことができるようになる。
【００１３】
上記携帯型反射板において、支持板を立てた状態で支持するスタンドをさらに備え、スタンドは、バネ作用によって支持板に対して突出および格納可能に設けられていてもよい。これにより、スタンドとして必要な場合にはバネ作用によってスタンドを突出させ、不要な場合には平らに戻して格納しておくことができる。
【００１４】
上記携帯型反射板において、支持板には切れ目が設けられ、切れ目から支持板の一部を折り曲げ可能に設けられていてもよい。これにより、切れ目から支持板の一部を折り曲げて、立てておくことができる。
【００１５】
上記携帯型反射板において、反射部材には、半球状に設けられた複数の凸部または半球状に設けられた複数の凹部が配列されていてもよい。これにより、拡散反射の集光性を高めることができる。
【発明の効果】
【００１６】
本発明によれば、携行性に優れ、十分に光を拡散反射させることができる携帯型反射板を提供することが可能になる。
【図面の簡単な説明】
【００１７】
【図１】（ａ）および（ｂ）は、本実施形態に係る携帯型反射板の構成を例示する斜視図である。
【図２】撮影状況を例示する模式図である。
【図３】（ａ）および（ｂ）は、本実施形態に係る携帯型反射板の断面構造を例示する部分断面図である。
【図４】（ａ）および（ｂ）は、湾曲状態での使用例を示す模式図である。
【図５】（ａ）および（ｂ）はスタンドを例示する斜視図である。
【図６】（ａ）および（ｂ）は折り曲げについて例示する模式図である。
【図７】他の折り曲げについて例示する模式図である。
【図８】（ａ）および（ｂ）は、支持板の一部の折り曲げについて例示する模式図である。
【図９】（ａ）および（ｂ）は、支持板の一部の折り曲げについて例示する模式図である。
【図１０】（ａ）〜（ｃ）は、反射部材の形状について例示する模式図である。
【図１１】（ａ）および（ｂ）は、フィルタを備えた携帯型反射板を例示する斜視図である。
【図１２】撮影条件について例示する図である。
【図１３】（ａ）〜（ｃ）は実験結果を示す写真である。
【発明を実施するための形態】
【００１８】
以下、本発明の実施形態を図面に基づいて説明する。なお、以下の説明では、同一の部材には同一の符号を付し、一度説明した部材については適宜その説明を省略する。
【００１９】
（携帯型反射板の構成）
図１（ａ）および（ｂ）は、本実施形態に係る携帯型反射板の構成を例示する斜視図である。図１（ａ）には携帯型反射板１が示され、図１（ｂ）には携帯端末１００が示される。
本実施形態に係る携帯型反射板１は、携帯端末１００に設けられたカメラ２００で撮影する際に被写体に向けて光を反射させるレフ板である。
【００２０】
ここで、携帯端末１００は、筐体１１０と、筐体１１０の正面に設けられた表示部１２０と、筐体１１０の背面などに設けられたカメラ２００とを備える。カメラ２００の近傍には撮影用の補助光を照射する発光部２１０が設けられていてもよい。
【００２１】
本実施形態において、携帯端末１００のサイズとは、通常の大人が筐体１１０を片手で持って撮影を行うことができる程度の大きさのことを言う。例えば、本実施形態で対象とする携帯端末１００の正面サイズは、縦横の寸法が２００ｍｍ×１００ｍｍ以下、好ましくは１７０ｍｍ×８０ｍｍ以下、さらに好ましくは１５０ｍｍ×７０ｍｍ以下である。表示部１２０のサイズは、６インチ以下、好ましくは５インチ以下である。
【００２２】
このような携帯端末１００に設けられたカメラ２００で撮影する際に用いられる携帯型反射板１は、支持板１０と、反射部材２０とを備える。支持板１０は、平板状であって保形性を有する。支持板１０の一方面１０ａおよび他方面１０ｂの少なくとも一方に反射部材２０が設けられている。
【００２３】
反射部材２０は、光を拡散反射させる材料によって形成される。反射部材２０としては、例えば表面が粗面となったアルミニウム（アルミニウム箔など）や、白色の素材（布地、紙、プラスチック、フッ素樹脂、硫酸バリウム等のコーティング材料など）が用いられる。支持板１０の一方面１０ａおよび他方面１０ｂの両方に反射部材２０が設けられていてもよく、それぞれの面に設けられる反射部材２０として、互いに異なる反射特性のものを用いてもよい。また、一方を反射部材２０、他方を鏡面としてもよい。また、支持板１０の材料の表面自体を反射部材２０として利用してもよい。
【００２４】
支持板１０の大きさ（正面サイズ）は、使用しない状態で携帯端末１００の正面サイズ以下となっている。すなわち、レフ板として使用していない状態での支持板１０の縦横の寸法は、２００ｍｍ×１００ｍｍ以下、好ましくは１７０ｍｍ×８０ｍｍ以下、さらに好ましくは１５０ｍｍ×７０ｍｍ以下である。また、支持板１０の厚さは、１ｍｍ以下が好ましく、保形性を得られれば薄いほど好ましい。使用しない状態での正面サイズとは、反射板として使用する際に支持板１０を広げない場合には支持板１０のそのものの正面サイズであり、広げる場合には広げる前（折り畳んだ状態）の正面サイズのことを言う。
【００２５】
支持板１０の大きさが携帯端末１００の正面サイズ以下に設定されていることで、使用しないときは携帯端末１００とともに場所をとらずに収納できる優れた携行性を発揮することができる。例えば、携帯端末１００をケースに収納する場合、本実施形態に係る携帯型反射板１を、携帯端末１００と一緒にケースに収納しておくことができる。
【００２６】
支持板１０を小さくすることで携行性は向上するものの、反射部材２０の面積も狭くなる。しかし、反射部材２０として、拡散性材料であって、可視光領域における相対全光線反射率が５０％以上、好ましくは８０％以上の材料を用いることで、支持板１０のサイズを携帯端末１００の正面サイズ以下にしても、携帯端末１００に設けられたカメラ２００で撮影する際に被写体に向けて十分な拡散反射光を当てることが可能となる。
【００２７】
図２は、撮影状況を例示する模式図である。
本実施形態では、携帯端末１００を片手で持って撮影を行う。このようなコンパクトな携帯端末１００に設けられたカメラ２００で被写体Ｗを撮影する。小さな被写体Ｗに対して接写する際、本実施形態に係る携帯型反射板１を用いて拡散反射光を被写体Ｗに当てる。例えば、一方の手で携帯端末１００を持ち、他方の手で携帯型反射板１を持って被写体Ｗに拡散反射光を当てる。この状態で携帯端末１００に設けられたカメラ２００で撮影を行う。
【００２８】
例えば、被写体Ｗに対して半逆光を当てるとともに、影となる部分に携帯型反射板１で拡散反射光を当てる。これにより、背景に対して被写体Ｗを適度に浮き上がらせた綺麗な撮影を行うことができる。その理由としては、被写体Ｗ前にできる影を消し、光量不足を補うことで手ブレになりにくくなる効果による。
【００２９】
携帯型反射板１は携行性に優れているため、携帯端末１００と一緒にいつでも持ち運びでき、直ぐに取り出して撮影の補助として利用することができる。しかも、優れた反射特性を有する反射部材２０を用いることで、コンパクトでありながら十分な拡散反射光を被写体Ｗに当てることが可能となる。携帯型反射板１はレフ板としてのサイズは小さいものの、小物を被写体とした接写においては被写体Ｗに近づけて利用できるため、十分にレフ板としての役目を果たすことができる。
【００３０】
図３（ａ）および（ｂ）は、本実施形態に係る携帯型反射板の断面構造を例示する部分断面図である。
図３（ａ）に示す断面構造では、平板状の支持板１０の一方面１０ａに反射部材２０ａが設けられ、他方面１０ｂの反射部材２０ｂが設けられている。支持板１０は薄く、保形性を有し、軽い材料が好ましい。例えば、支持板１０の材料としては、ＬＤＰＥ（低密度ポリエチレン）が用いられる。
【００３１】
支持板１０の一方面１０ａには、例えば表面にランダムな凹凸（皺）が付けられたアルミニウム箔が貼り付けられ、これが反射部材２０ａとして構成される。支持板１０の他方面１０ｂには、一方面１０ａに設けた反射部材２０ａとは異なる反射特性を有する反射部材２０ｂが設けられる。例えば、表面が乱反射する白色のシート材が貼り付けられ、これが反射部材２０ｂとして構成される。支持板１０の両面に反射特性の異なる反射部材２０ａ、２０ｂが設けられていることで、拡散反射の趣を変えることができる。
【００３２】
図３（ｂ）に示す断面構造では、支持板１０の中央部に湾曲形状を保持できる芯部材１５が設けられている。芯部材１５は例えば金属板であり、支持板１０を平板形状から任意の湾曲形状に折り曲げ可能であって、曲げた形状を保持できるようになっている。この場合、支持板１０はシリコーンゴムのような弾性に優れた材料を用いるとよい。
【００３３】
図４（ａ）および（ｂ）は、湾曲状態での使用例を示す模式図である。
支持板１０に芯部材１５が設けられていることで、ユーザは支持板１０を手で曲げて、任意の湾曲形状にすることができる。図４（ａ）に示すように、支持板１０を湾曲形状にすることで、携帯型反射板１を手で保持しなくても、机などの上に立たせておくことができる。
【００３４】
また、図４（ｂ）に示すように、支持板１０を湾曲形状にして、被写体Ｗを湾曲形状の内側（凹側）に配置すると、拡散反射光を湾曲形状の内側に集中させることができる。湾曲形状の曲げ角度を調整すれば、被写体Ｗに対してより効果的な拡散反射光を当てることが可能となる。
【００３５】
（スタンド）
次に、本実施形態に係る携帯型反射板１のスタンドについて説明する。
図５（ａ）および（ｂ）はスタンドを例示する斜視図である。
図５（ａ）にはスタンド５０の格納状態が示され、図５（ｂ）にはスタンド５０の突出状態が示される。
【００３６】
図５に示すように、本実施形態に係る携帯型反射板１において、支持板１０の裏面（例えば、他方面１０ｂ）にはスタンド５０が設けられていてもよい。このスタンド５０には板バネ５１が組み込まれており、中央部分で支持板１０の裏面に固定されている。
【００３７】
図５（ａ）に示すように、スタンド５０を使用しない場合には板バネ５１が真っ直ぐになっており、スタンド５０の全体も支持板１０に沿うように平らになっている。図５（ｂ）に示すように、スタンド５０の両端を引き上げることで、板バネ５１のバネ作用によってスタンド５０が湾曲するように支持板１０から突出する状態となる。これにより、突出したスタンド５０を支えとして携帯型反射板１を立て掛けておくことができる。
【００３８】
突出したスタンド５０を収納するには、スタンド５０の両端を押さえるようにする。これにより、板バネ５１が平らとなってスタンド５０を格納状態にすることができる。なお、スタンド５０は、携帯型反射板１の持ち手としても使用可能である。
【００３９】
図６（ａ）および（ｂ）は折り曲げについて例示する模式図である。
図６（ａ）には折り目１７の例が示され、図６（ｂ）には折り目１７に沿った方向からみた支持板１０の折り曲げ状態が示される。
【００４０】
図６（ａ）に示すように、本実施形態に係る携帯型反射板１において、支持板１０には折り曲げ位置に沿った折り目１７が設けられていてもよい。例えば、支持板１０の中央部分に折り目１７が設けられている。折り目１７は支持板１０の長辺を二分するように短辺と平行に設けられている。
【００４１】
このような折り目１７が設けられていることで、図６（ｂ）に示すように、支持板１０を折り目１７で折り曲げて使用することができる。支持板１０を折り目１７で折り曲げると略Ｖ字型となって、携帯型反射板１を手で保持しなくても、机などの上に立たせておくことができる。
【００４２】
また、支持板１０を折り目１７で折り曲げておき、被写体Ｗを折り曲げの内側に配置すると、折り曲げで構成される２面からそれぞれ異なる角度で拡散反射光を被写体Ｗに当てることができる。折り曲げの角度を調整すれば、被写体Ｗに対して拡散反射光を当てる角度を調整することができ、光や影の状態をコントロールすることが可能となる。
【００４３】
図７は、他の折り曲げについて例示する模式図である。
図７に示すように、携帯型反射板１の支持板１０には、所定間隔で複数本の折り目１７が設けられていてもよい。複数本の折り目１７で山折り、谷折りを繰り返すことで、支持板１０がジグザグに折り曲げられる。これにより、携帯型反射板１を立たせておくことができる。
【００４４】
図８（ａ）および（ｂ）は、支持板の一部の折り曲げについて例示する模式図である。
図８（ａ）には切れ目１８の例が示され、図８（ｂ）には支持板１０の一部を折り曲げた状態が示される。
【００４５】
図８（ａ）に示す例では、支持板１０の端部（例えば、長辺側の端部）に縁から途中まで切れ目１８が設けられている。切れ目１８は支持板１０の辺の方向に所定ピッチで複数設けられている。
【００４６】
図８（ｂ）に示すように、切れ目１８の位置で支持板１０を略直角に折り曲げると、携帯型反射板１を立てておくことができるようになる。例えば、複数の切れ目１８によって構成される複数の片部１０１を互い違いの方向に折り曲げる。これにより、携帯型反射板１を安定して立てておくことができる。
なお、図８に示す例では、片部１０１に反射部材２０が設けられていないが、片部１０１にも反射部材２０を設けるようにしてもよい。
【００４７】
図９（ａ）および（ｂ）は、支持板の一部の折り曲げについて例示する模式図である。
図９（ａ）には切れ目１９の例が示され、図９（ｂ）には支持板１０の一部を折り曲げた状態が示される。
【００４８】
図９（ａ）に示す例では、支持板１０の端部（例えば、左右の隅部）に縁から途中まで切れ目１９が設けられている。図９（ｂ）に示すように、切れ目１９の位置で支持板１０を所定の角度で折り曲げると、携帯型反射板１を立てておくことができるようになる。例えば、切れ目１９によって構成される左右の片部１０２をそれぞれ同じ方向に僅かに折り曲げる。これにより、片部１０２がスタンドとなって携帯型反射板１を立てておくことができる。
【００４９】
なお、図８に示す片部１０１や図９に示す片部１０２の数および位置はこれらに限定されない。
【００５０】
（反射部材の形状）
次に、反射部材２０の形状の例について説明する。
図１０（ａ）〜（ｃ）は、反射部材の形状について例示する模式図である。
図１０（ａ）には凸部２０１の例が示され、図１０（ｂ）には凹部２０２の例が示される。図１０（ｃ）には凸部２０１の配列の例が示される。なお、説明の便宜上、図１０には反射部材２０のみが示される。
【００５１】
本実施形態に係る携帯型反射板１において、反射部材２０には、半球状に設けられた複数の凸部２０１（図１０（ａ）参照）または半球状に設けられた複数の凹部２０２（図１０（ｂ）参照）が配列されていてもよい。
【００５２】
図１０（ｃ）に示すように、複数の凸部２０１は縦横に所定の間隔で配列されていることが好ましい。なお、図１０（ｃ）では凸部２０１の配列について示しているが、凹部２０２の配列についても同様である。
【００５３】
このように、反射部材２０として複数の凸部２０１または複数の凹部２０２が配列されていることで、拡散反射の集光性を高めることができる。
【００５４】
なお、上記の例では、半球状の凸部２０１および凹部２０２について説明したが、半球状以外であってもよい。例えば、三角柱形（プリズム形）や正四面体（ピラミッド形）であってもよい。また、半円筒形の凸や凹であってもよい。また、反射部材２０は、一つの大きな凹面や凸面で構成されていてもよいし、表面にフレネルレンズのようなレンズ形状を有していてもよい。さらに、反射部材２０は、ランダムな凹凸表面（数μｍ程度の凹凸）を有していてもよい。
【００５５】
（フィルタ）
次に、フィルタを備える例について説明する。
図１１（ａ）および（ｂ）は、フィルタを備えた携帯型反射板を例示する斜視図である。
図１１（ａ）にはフィルタ６０の例が示され、図１１（ｂ）にはフィルタ６０を備えた携帯型反射板１を携帯端末１００に装着した例が示される。
【００５６】
図１１（ａ）に示すように、支持板１０に孔１０ｈが設けられている。図１１（ｂ）に示すように、孔１０ｈは、携帯端末１００に設けられたカメラ２００および発光部２１０が設けられる領域よりも大きく開けられている。孔１０ｈの位置は、携帯端末１００の特定の機種のカメラ２００および発光部２１０の位置および大きさに合わせて設けられていてもよい。
【００５７】
孔１０ｈの一部にはフィルタ６０が被せられている。例えば、孔１０ｈの略半分を覆うようにフィルタ６０が設けられる。これにより、携帯型反射板１を携帯端末１００に重ねることで、カメラ２００または発光部２１０の上にフィルタ６０を被せた状態で使用することができる。
【００５８】
図１１に示す例では、携帯型反射板１を携帯端末１００に重ねると、孔１０ｈの位置にカメラ２００と発光部２１０とが配置されるとともに、発光部２１０の上にフィルタ６０が位置するようになる。カメラ２００の上にはフィルタ６０はかからない。
【００５９】
このフィルタ６０を、光を半透過させる材料で構成しておくと、発光部２１０から放出される光をフィルタ６０によって分散させるディフーザを構成することができる。一方、カメラ２００はフィルタ６０の影響を受けずに被写体の像を捉えることができる。
【００６０】
また、携帯型反射板１を携帯端末１００と重ねて使用することで、携帯端末１００に設けられたカメラ２００を被写体に向けるだけで反射部材２０による拡散反射光を被写体に当てることができる。
【００６１】
なお、フィルタ６０は付け替え可能になっていてもよい。これにより、異なる特性のフィルタ６０をユーザの好みに応じて付けることができる。また、フィルタ６０の取り付け位置をずらすことができるようになっていてもよい。例えば、支持板１０の面に沿ってフィルタ６０をスライド可能に設けておく。これにより、フィルタ６０を使用しない場合には孔１０ｈの位置から外すようにスライドさせ、使用する場合のみ孔１０ｈの位置にスライドさせる。
【００６２】
また、フィルタ６０はカメラ２００の上にかかるようにしてもよいし、カメラ２００および発光部２１０の両方にかかるようにしてもよい。カメラ２００の上にかかるようにする場合、フィルタ６０として偏光フィルタを用いてもよい。また、カメラ２００および発光部２１０の両方にかかる場合、カメラ２００および発光部２１０のそれぞれについて特性の異なるフィルタ６０を配置するようにしてもよい。
【００６３】
このように、支持板１０にフィルタ６０を設けることで、カメラ２００および発光部２１０に対するフィルタ６０の効果とともに、支持板１０に設けられた反射部材２０による拡散反射光の効果の両方を１つの携帯型反射板１で得ることが可能となる。
【００６４】
（実験例）
次に、本実施形態に係る携帯型反射板１を用いた実験例について説明する。
図１２は、撮影条件について例示する図である。
図１３（ａ）〜（ｃ）は実験結果を示す写真である。
実験では、携帯端末１００に設けられたカメラ２００で被写体Ｗを撮影し、本実施形態に係る携帯型反射板１の使用の有無による画像の違いを比較した。
【００６５】
実験は、窓際のテーブル上に被写体Ｗを置き、窓からの自然光を利用して撮影を行った。
図１２に示すように、被写体Ｗと携帯端末１００との距離ｄ１は約１５ｃｍである。自然光は、被写体Ｗに対してカメラ２００とは反対側から当たる、いわゆる逆光で当てられる。
【００６６】
実験で用いた携帯端末１００はいわゆるスマートフォンであり、カメラ２００の画素数は１３００万である。
携帯型反射板１の大きさ（正面サイズ）は約５ｃｍ×１５ｃｍである。
携帯型反射板１を用いる場合には横長に配置し、被写体Ｗと携帯型反射板１との距離ｄ２を約５ｃｍ、下端までの高さｈを約４ｃｍ、傾斜角度θを水平に対して約６０度とした。
反射部材２０としては、アルミニウム箔と、白色素材（支持板１０として用いるＬＤＰＥの素材表面）との２種類を用いた。
【００６７】
図１３（ａ）には携帯型反射板１を使用しないで撮影した写真が示される。
図１３（ｂ）および（ｃ）には携帯型反射板１を使用して撮影した写真が示される。このうち図１３（ｂ）は反射部材２０としてアルミニウム箔を用いた場合、図１３（ｃ）は反射部材２０として白色素材を用いた場合である。
【００６８】
携帯型反射板１を使用しないで撮影した場合（図１３（ａ））、自然光が逆光となって被写体Ｗの表面が暗くなっている。
一方、本実施形態に係る携帯型反射板１を使用して撮影した場合（図１３（ｂ）および（ｃ））、被写体Ｗの表面の様子が綺麗に現れている。
反射部材２０としてアルミニウム箔を用いた場合は（図１３（ｂ））、白色素材を用いた場合（図１３（ｃ））に比べて反射光量が多くなり、被写体Ｗの影（自然光による影）が薄くなっている。
また、反射部材２０として白色素材を用いた場合は（図１３（ｃ））、アルミニウム箔を用いた場合（図１３（ｂ））に比べて拡散性が高くなるため、被写体Ｗの表面に多角度で反射光が当てられている。
このような携行性に優れたサイズの携帯型反射板１であっても、いわゆるレフ板としての効果を十分に発揮していることが分かる。
【００６９】
以上説明したように、実施形態に係る携帯型反射板１によれば、携行性に優れ、十分に光を拡散反射させることができる撮影補助具を提供することが可能になる。
【００７０】
なお、上記に本実施形態およびその適用例を説明したが、本発明はこれらの例に限定されるものではない。例えば、支持板１０としては、反射板として使用しない場合に折り畳んで収納できるようにしてもよい。この場合、折り畳んだ際の厚さが収納に不便な厚さにならないようにする。また、支持板１０の外形は矩形以外であってもよい。また、支持板１０の同一面に反射特性の異なる反射部材２０を設けてもよいし、同一面に反射部材２０と鏡面とを設けてもよい。また、前述の各実施形態またはその適用例に対して、当業者が適宜、構成要素の追加、削除、設計変更を行ったものや、各実施形態の特徴を適宜組み合わせたものも、本発明の要旨を備えている限り、本発明の範囲に包含される。
【産業上の利用可能性】
【００７１】
本発明は、スマートフォン（登録商標）やタブレット型端末、コンパクトカメラなどで撮影する際に好適に利用可能である。
【符号の説明】
【００７２】
１…携帯型反射板
１０…支持板
１０ａ…一方面
１０ｂ…他方面
１０ｈ…孔
１５…芯部材
１７…折り目
１８，１９…切れ目
２０，２０ａ，２０ｂ…反射部材
５０…スタンド
５１…板バネ
６０…フィルタ
１００…携帯端末
１０１，１０２…片部
１１０…筐体
１２０…表示部
２００…カメラ
２０１…凸部
２０２…凹部
２１０…発光部
ｄ１…距離
ｄ２…距離
ｈ…高さ
Ｗ…被写体
θ…傾斜角度
【図１】
2020012880.tif 000003
【図２】
2020012880.tif 000004
【図３】
2020012880.tif 000005
【図４】
2020012880.tif 000006
【図５】
2020012880.tif 000007
【図６】
2020012880.tif 000008
【図７】
2020012880.tif 000009
【図８】
2020012880.tif 000010
【図９】
2020012880.tif 000011
【図１０】
2020012880.tif 000012
【図１１】
2020012880.tif 000013
【図１２】
2020012880.tif 000014
【図１３】
2020012880.tif 000015